(57)【要約】【課題】この発明は、固定式、あるいは移動可能なキーボックスに着脱自在に装着することができ、移動運搬中に横にしても鍵が外れない鍵保持具を提供することを目的としている。【解決手段】キーボックスに装着する移動式の鍵保持具であって、掛吊具２とキーホルダ１５の組合せから成り、前記掛吊具２は、横長の枠体に複数の掛吊部９が区画設定され、各掛吊部９には、差込孔１０ａとガイド孔１０ｂとで略Ｔ字形の嵌装孔１０が形成され、該ガイド孔１０ｂの下端奥部に支持部１１が形成されて成り、前記キーホルダ１５は、鍵固定板１５ａの先端部に、括れ部１５ｂを介して差込片１５ｃが形成されて成り、該差込片１５ｃを前記差込孔１０ａに差込み、括れ部１５ｂをガイド孔１０ｂに沿って降下させ、差込片１５ｃを前記支持部１１に掛吊るように構成された鍵保持具１。【選択図】　　図２
2004052395.tif 000002
【特許請求の範囲】
【請求項１】
キーボックスに装着する移動式の鍵保持具であって、掛吊具とキーホルダの組合せから成り、前記掛吊具は、横長の枠体に複数の掛吊部が区画設定され、各掛吊部には、差込孔とガイド孔とで略Ｔ字形の嵌装孔が形成され、該ガイド孔の下端奥部に支持部が形成されて成り、前記キーホルダは、鍵固定板の先端部に、括れ部を介して差込片が形成されて成り、該差込片を前記差込孔に差込み、括れ部をガイド孔に沿って降下させ、差込片を前記支持部に掛吊るように構成されたことを特徴とする鍵保持具
【請求項２】
前記各掛吊部には、嵌装孔の上部域に表示部が形成されていることを特徴とする、請求項１に記載された鍵保持具。
【請求項３】
前記掛吊具は、掛吊部を形成する前板部の上下に、上板部と下板部が形成され、上板部の後端部から下垂板部が、下板部の後端部から上立板部がそれぞれ形成され、一枚板でプレス成形さていることを特徴とする請求項１，２のいずれかに記載された鍵保持具。
【請求項４】
前記各掛吊部において、差込孔上縁部の前板部に、キーホルダの差込片を差込孔へ案内する、ガイド凹部が形成されていることを特徴とする請求項１〜３のいずれかに記載された鍵保持具。
【発明の詳細な説明】
【０００１】
【発明の属する技術分野】
この発明は、キーボックス用の鍵保持具に係り、特に移動することができ、移動中に鍵が外れない鍵保持具に関する。
【０００２】
【従来の技術】
従来、例えば社内で使用する自動車のキー、倉庫のキー、部屋のキーなどを保管するキーボックスがある。一般的なのは壁掛けボックスの中に複数のフックが並設されている。
【０００３】
【発明が解決しようとする課題】
前記キーボックスは、固定式のものは、夜間や休日に安全な場所に格納することができない。また移動可能なキーボックスで、フックにキーを掛けるものは、移動に際して、フックからキーが外れてしまうという問題点がある。
この発明は、それらの実情に鑑みて、固定式、あるいは移動可能なキーボックスに着脱自在に装着することができ、移動中に横にしても鍵が外れない鍵保持具を提供することを目的としている。
【０００４】
【課題を解決するための手段】
この発明は、前記課題を解決するために、次のような技術的手段を講じた。
【０００５】
（１）　キーボックスに装着する移動式の鍵保持具であって、掛吊具とキーホルダの組合せから成り、前記掛吊具は、横長の枠体に複数の掛吊部が区画設定され、各掛吊部には、差込孔とガイド孔とで略Ｔ字形の嵌装孔が形成され、該ガイド孔の下端奥部に支持部が形成されて成り、前記キーホルダは、鍵固定板の先端部に、括れ部を介して差込片が形成されて成り、該差込片を前記差込孔に差込み、括れ部をガイド孔に沿って降下させ、差込片を前記支持部に掛吊るように構成された鍵保持具。
【０００６】
（２）　前記各掛吊部には、嵌装孔の上部域に表示部が形成されている、前記（１）に記載された鍵保持具。
【０００７】
（３）　前記掛吊具は、掛吊部を形成する前板部の上下に、上板部と下板部が形成され、上板部の後端部から下垂板部が、下板部の後端部から上立板部がそれぞれ形成され、一枚板でプレス成形されている、前記（１）（２）のいずれかに記載された鍵保持具。
【０００８】
（４）　前記各掛吊部において、差込孔上縁部の前板部に、キーホルダの差込片を差込孔へ案内する、ガイド凹部が形成されている、前記（１）〜（３）のいずれかに記載された鍵保持具。
【０００９】
【発明の実施の形態】
この発明の実施の形態を、図面を参照して説明する。図１は鍵保持具の斜視図、図２は図１のＡーＡ線断面図、図３はキーホルダの斜視図である。
【００１０】
鍵保持具（１）は、掛吊具（２）とキーホルダ（１５）の組合わせから構成されている。
掛吊具（２）は、金属板をプレス成形したもので、前板部（３）の上下端部に、上板部（４）と下板部（５）が後方へ突出形成されている。
【００１１】
上板部（４）の先端部には、下垂板部（６）が、下板部（５）の先端部には上立板部（７）がそれぞれ垂直に形成されている。下垂板部（６）と上立板部（７）の左右端縁部には、連結板（８）が連結されている。
【００１２】
前記前板部（３）の前面には、複数の掛吊部（９）が区画形成されている。該掛吊部（９）の下中央部に、横長な差込孔（１０ａ）と縦長なガイド孔（１０ｂ）とで略Ｔ字形に形成された嵌装孔（１０）が形成され、前記ガイド孔（１０ｂ）の下端部の奥に、前記下板部（５）を利用した支持部（１１）が形成されている。
【００１３】
また、前記前板部（３）の各掛吊部（９）において、前記嵌装孔（１０）より上部には、表示部（１２）が形成されている。図中符号（１３）は番号や名称などの表示体である。
図２において、前記下板部（５））の後部には、図２に示すように、後記するキーボックス（１８）の係止体（１９）が挿入できる係止用切欠（１４）が形成されている。
【００１４】
図３はキーホルダ（１５）の平面図である。キーホルダ（１５）は、鍵固定板（１５ａ）の先端部に、括れ部（１５ｂ）を介して差込部（１５ｃ）が形成されている。
該差込部（１５ｃ）の大きさは、前記嵌装孔（１０）の差込孔（１０ａ）の幅より狭く設定されている。また前記括れ部（１５ｂ）の幅は、前記嵌装孔（１０）のガイド孔（１０ｂ）の幅より狭く設定されている。
【００１５】
前記鍵固定板（１５ａ）の固定孔（１５ｄ）には、連結環（１５ｅ）を介して鍵（１６）が固定されている。符号（１７）は表示板であり、前記掛吊具（２）の表示体（１３）に対応する表示が形成される。
【００１６】
上記構成のこの鍵保持具（１）は、次のように使用される。まず図１において、差込孔（１０ａ）に図３の差込片（１５ａ）を奥まで差入れる。
すると、図２に仮想線（１５）で示す状態となるので、矢示方向へ固定部（１５ａ）をおろすと、括れ部（１５ｂ）がガイド孔（１０ｂ）にガイドされて下降するので、そのまま手を離せば、実線で示すキーホルダ（１５）のように、差込片（１５ｃ）が支持部（１１）に引っ掛かり、鍵固定板（１５ａ）がさがってキーホルダ（１５）を掛吊ることができる。
【００１７】
図２の状態で、鍵保持具（１）を前後に揺らしても、幅の広い差込部（１５ｃ）は嵌装孔（１０）から抜け出すことはないので、鍵保持具（１）を持運んでも鍵（１６）が抜け落ちることはない。鍵保持具（１）を横に寝かせてしまっても、鍵（１６）が抜け出すことはない。
【００１８】
図４は、キーボックス（１８）に鍵保持具（１）を装着した状態を示す。キーボックス（１８）は蓋（１８ａ）付きで、壁板（１８ｂ）に係止体（１９）が、上下にそれぞれ形成されている。該係止体（１９）に、鍵保持具（１）の下垂板部（６）と、上立板部（７）を掛吊る。
上立板部（７）の場合、下板部（５）があるために、下板部（５）の後部に形成した係止用切欠（１４）に係止体（１９）を挿入させることによって、キーボックス（１８）に鍵保持具（１）を着脱自在に装着させることができる。図中符号（１８ｃ）は、携帯用の把持部である。
【００１９】
図５は第２実施例を示す鍵保持具の要部縦断面図である。前記例と同じ部位には同じ符号を付して、説明を省略する。
この実施例は、図示するように、掛吊部（９）の差込孔（１０ａ）の上縁部にあたる前板部（３）に、図示するように下縁を中に押し込んだガイド凹部（３ａ）を形成したものである。
【００２０】
上記のように形成されたこの実施例においては、キーホルダ（１５）の差込片（１５ｃ）の先端部を、このガイド凹部（３ａ）に押し当てて、そのまま下へ引降ろすことによって、差込片（１５ｃ）の先端部は差込孔（１０ａ）の下縁に当たるので、そのまま奥へ押し込むことができ、差込孔（１０ａ）が、暗くて見にくくても容易に掛吊ることができる。
【００２１】
なおこの発明は、前記実施例に限定されるものではなく、目的に沿って適宜設計変更をすることができる。
鍵保持具（１）の掛吊部（９）は５区画が示されているが、数を増加させて鍵保持具（１）全体の長さを長くすることができる。
また、差込孔（１０ａ）は水平になっているが、斜めに傾斜させることができる。表示部（１２）は、色分けし、あるいは夜光性樹脂板などを接着させることができる。
【００２２】
【発明の効果】
以上説明したように、この発明は、次のような優れた効果を有している。
【００２３】
（１）　請求項１に記載された発明は、キーボックスに装着する鍵保持具に複数の掛吊部が区画設定され、各掛吊部には、差込孔とガイド孔とで略Ｔ字形の嵌装孔が形成され、該嵌装孔の下端奥部に支持部が形成されているので、キーホルダの差込片を前記差込孔に差込み、括れ部をガイド孔に沿って降下させると、差込片が前記支持部に掛吊られるので、鍵保持具を移動させる際に、前後に揺らせても横にしても、鍵が嵌装孔から抜け出すことがない効果がある。
【００２４】
（２）　請求項２に記載された発明は、前記各掛吊部には、嵌装孔の上部域に表示部が形成されているので、その掛吊部に掛吊る鍵が何の鍵であるのか、表示することができる効果がある。
【００２５】
（３）　請求項３に記載された発明は、前記掛吊具は、掛吊部を形成する前板部の上下に、上板部と下板部が形成され、上板部の後端部から下垂板部が、下板部の後端部から上立板部がそれぞれ形成されているので、一枚金属板をプレスで打ち抜き、安価に量産することができる効果がある。
また、上立板部と下垂板部に、キーボックスの係止体を係合させることができるので、壁板あるいは、キーボックスの壁板に容易に装着することができ、かつ、夜間や休日などに取外して、安全な所に格納しておくことができる効果がある。
【００２６】
（４）　請求項４に記載された発明は、前記各掛吊部において、差込孔上縁部の前板部に、キーホルダの差込片を差込孔へ案内する、ガイド凹部が形成されているので、ガイド凹部にキーホルダの差込片の先端部を押し当てて、そのまま下に引下ろすことによって、差込孔が暗くて見にくい場合でも、差込片を差込孔に容易に差込むことができる効果がある。
【図面の簡単な説明】
【図１】本願発明の第１実施例を示す鍵保持具の掛吊具の斜視図である。
【図２】図１におけるＡーＡ線断面図である。
【図３】本願発明の第１実施例を示す鍵保持具のキーホルダの斜視図である。
【図４】本願発明の第２実施例を示す鍵保持具の要部縦断面図である。
【図５】本願発明の鍵保持具を装着したキーボックスの縦断側面図である。
【符号の説明】
（１）鍵保持具
（２）掛吊具
（３）前板部
（３ａ）ガイド凹部
（４）上板部
（５）下板部
（６）下垂板部
（７）上立板部
（８）連結板
（９）掛吊部
（１０）嵌装孔
（１０ａ）差込孔
（１０ｂ）ガイド孔
（１１）支持部
（１２）表示部
（１３）表示体
（１４）係止用切欠
（１５）キーホルダ
（１５ａ）鍵固定部
（１５ｂ）括れ部
（１５ｃ）差込部
（１５ｄ）固定孔
（１５ｅ）連結環
（１６）鍵
（１７）表示板
（１８）キーボックス
（１８ａ）蓋
（１８ｂ）壁板
（１８ｃ）把持体
（１９）係止体
【図１】
2004052395.tif 000003
【図２】
2004052395.tif 000004
【図３】
2004052395.tif 000005
【図４】
2004052395.tif 000006
【図５】
2004052395.tif 000007